(57)【要約】【課題】本発明は、撮像者の使い勝手を向上させ得る撮像装置を提案する。【解決手段】撮像素子で撮像した撮像映像を記録媒体に記録し、再生する撮像装置であって、撮像素子の受光領域に対し、記録媒体に記録する記録領域である第１の領域及び記録領域以外の少なくとも１つ以上の領域である第２の領域を設定する領域設定部と、領域設定部により設定された第１の領域の第１の映像信号及び第２の領域の第２の映像信号を生成する映像信号生成部と、映像信号生成部により生成された第１の映像信号及び第２の映像信号を合成して、第１の映像信号及び第２の映像信号に基づく映像を表示部に表示する映像信号合成部とを備える。【選択図】図３
2009164767.tif 000002
【特許請求の範囲】
【請求項１】
撮像素子で撮像した撮像映像を記録媒体に記録し、再生する撮像装置であって、
前記撮像素子の受光領域に対し、前記記録媒体に記録する記録領域である第１の領域及び前記記録領域以外の少なくとも１つ以上の領域である第２の領域を設定する領域設定部と、
前記領域設定部により設定された前記第１の領域の第１の映像信号及び前記第２の領域の第２の映像信号を生成する映像信号生成部と、
前記映像信号生成部により生成された前記第１の映像信号及び前記第２の映像信号を合成して、前記第１の映像信号及び前記第２の映像信号に基づく映像を表示部に表示する映像信号合成部と
を備えることを特徴とする撮像装置。
【請求項２】
前記映像信号生成部は、
前記領域設定部により設定された領域ごとに、異なる画素密度で映像信号を生成する
ことを特徴とする請求項１に記載の撮像装置。
【請求項３】
前記撮像素子から映像信号を読み出すクロックを生成するクロック生成部
を備え、
前記クロック生成部は、
２種類以上の異なるクロックを生成し、
前記映像信号生成部は、
前記領域設定部により設定された領域ごとに、異なるクロックを用いて映像信号を生成する
ことを特徴とする請求項１に記載の撮像装置。
【請求項４】
前記映像信号生成部は、
記録を行う領域と記録を行わない領域の境界上に、マーカや枠線を重畳表示するための重畳映像信号を生成し、
前記映像信号合成部は、
前記映像信号生成部により生成された重畳映像信号に基づいて、前記映像にマーカや枠線を前記表示部に重畳表示する
ことを特徴とする請求項１に記載の撮像装置。
【請求項５】
前記領域設定部に、任意の位置及び又はサイズを指示する領域指示部
を備え、
前記領域設定部は、
前記領域指示部の指示に基づいて、前記第１の領域及び前記第２の領域を任意の位置及び又はサイズに変更する
ことを特徴とする請求項１に記載の撮像装置。
【請求項６】
前記領域設定部は、
撮像装置本体の動きに応じて自動制御することにより、前記第１の領域及び前記第２の領域を任意の位置及び又はサイズに変更する
ことを特徴とする請求項１に記載の撮像装置。
【請求項７】
前記映像信号合成部は、
前記第２の映像信号に特定の画像処理を施し、当該処理を施した第２の映像信号に基づいて、特定の画像処理を施した前記映像を前記表示部に表示する
ことを特徴とする請求項１に記載の撮像装置。
【請求項８】
前記映像信号生成部は、
撮影者の操作に基づいて前記第１の領域を中心とした電子ズームを行う
ことを特徴とする請求項１に記載の撮像装置。
【請求項９】
前記領域設定部は、
前記電子ズームに伴い、前記第１の領域及び前記第２の領域の位置及び又はサイズを自動制御することにより、前記第１の領域及び前記第２の領域を任意の位置及び又はサイズに変更する
ことを特徴とする請求項８に記載の撮像装置。
【請求項１０】
撮像素子で撮像した撮像映像を記録媒体に記録し、再生する撮像装置の表示方法であって、
前記撮像素子の受光領域に対し、前記記録媒体に記録する記録領域である第１の領域及び前記記録領域以外の少なくとも１つ以上の領域である第２の領域を設定する第１のステップと、
前記第１のステップにおいて設定した前記第１の領域の第１の映像信号及び前記第２の領域の第２の映像信号を生成する第２のステップと、
前記第２のステップにおいて生成した前記第１の映像信号及び前記第２の映像信号を合成して、前記第１の映像信号及び前記第２の映像信号に基づく映像を表示部に表示する第３のステップと
を備えることを特徴とする表示方法。
【請求項１１】
前記第２のステップでは、
前記第１のステップにおいて設定した領域ごとに、異なる画素密度で映像信号を生成する
ことを特徴とする請求項１０に記載の表示方法。
【請求項１２】
前記第２のステップでは、
前記撮像素子から映像信号を読み出す２種類以上の異なるクロックを生成し、前記前記第１のステップにおいて設定した領域ごとに、異なるクロックを用いて映像信号を生成する
ことを特徴とする請求項１０に記載の表示方法。
【請求項１３】
前記第２のステップでは、
記録を行う領域と記録を行わない領域の境界上に、マーカや枠線を重畳表示するための重畳映像信号を生成し、
前記第３のステップでは、
前記第２のステップにおいて生成した重畳映像信号に基づいて、前記映像にマーカや枠線を前記表示部に重畳表示する
ことを特徴とする請求項１０に記載の表示方法。
【請求項１４】
前記第１のステップでは、
任意の位置及び又はサイズを指示する領域指示部の指示に基づいて、前記第１の領域及び前記第２の領域を任意の位置及び又はサイズに変更する
ことを特徴とする請求項１０に記載の表示方法。
【請求項１５】
前記第１のステップでは、
撮像装置本体の動きに応じて自動制御することにより、前記第１の領域及び前記第２の領域を任意の位置及び又はサイズに変更する
ことを特徴とする請求項１０に記載の表示方法。
【請求項１６】
前記第３のステップでは、
前記第２の映像信号に特定の画像処理を施し、当該処理を施した第２の映像信号に基づいて、特定の画像処理を施した前記映像を前記表示部に表示する
ことを特徴とする請求項１０に記載の表示方法。
【請求項１７】
前記第２のステップでは、
撮影者の操作に基づいて前記第１の領域を中心とした電子ズームを行う
ことを特徴とする請求項１０に記載の表示方法。
【請求項１８】
前記第１のステップでは、
前記電子ズームに伴い、前記第１の領域及び前記第２の領域の位置及び又はサイズを自動制御することにより、前記第１の領域及び前記第２の領域を任意の位置及び又はサイズに変更する
ことを特徴とする請求項１７に記載の表示方法。
【発明の詳細な説明】
【技術分野】
【０００１】
本発明は、撮像映像を表示可能な表示部を備えた撮像装置に関する。
【背景技術】
【０００２】
本技術分野の背景技術として、種々のものが提案されている。
【０００３】
例えば、撮像素子の撮像領域の一部分から映像信号を読み出す技術として、特開平１１−３０８５３５号公報（特許文献１）が知られている。該公報には、課題として、「広い受光領域を持つ撮像素子において全領域の映像でも一部領域の映像でも表示できるようにするとともに、装置全体の消費電力を増大させることなく、全領域の映像をできるだけ高いフレームレートで読み出せるようにする。」と記載されている。
【０００４】
この解決手段として、「撮像素子２の受光領域全体から映像信号を読み出す場合には高い周波数の第２のクロックを用い、また撮像素子２の受光領域の一部分の映像信号を読み出す場合は低い周波数の第１のクロックを用いることができるようにすることにより、受光領域全体の映像信号でも一部領域の映像信号でも読み出して表示することができ、受光領域全体から映像信号を読み出すときの読み出しレートをある程度高く設定しつつも、システム全体の消費電力を低く抑えることができるようにする。」と記載されている。
【０００５】
また、撮像素子の撮像領域の映像信号を画素密度を変えて読み出す技術として、特開２００７−１７４１４９号公報（特許文献２）が知られている。該公報には、課題として、「画素読み出し時間が無視できない場合でも、所望の撮像レートにて撮像することができる撮像システムを提供する。」と記載されている。
【０００６】
この解決手段として、「撮像素子１は、撮像によって生成した画像信号を、画素密度が異なる少なくとも２種類の読み出しパターンで読み出して出力可能である。領域毎読み出しパターン設定部９は、注目する被写体が特定された後、領域Ｓ１において画像信号を読み出す画素密度が、領域Ｓ２において画像信号を読み出す画素密度よりも大きくなるように、領域Ｓ１と領域Ｓ２の各々に読み出しパターンを設定する。合焦情報検出部１０は、これらの読み出しパターンで撮像素子１が読み出して出力した画像信号に基づいて、画像の合焦度を検出する。領域分離部１２は、この画像の合焦度から得られる合焦エリア情報の少なくとも一部を含むように領域Ｓ１を再設定する。」と記載されている。
【特許文献１】特開平１１−３０８５３５号公報
【特許文献２】特開２００７−１７４１４９号公報
【発明の開示】
【発明が解決しようとする課題】
【０００７】
近年、デジタルスチルカメラやデジタルビデオカメラ等の撮像装置は、液晶モニタを搭載しており、撮影者は液晶モニタに表示される撮像映像を見ながら撮影を行う。このとき、撮影者は、パン、チルト、ズーム操作を行いながら、より良い構図での撮影を試みる。例えば、パン、チルト操作によって、カメラの画角内に被写体を捉えた後、ズームアップすることで画角一杯に捉えたり、逆にズームアウトすることで、周囲の景色と共に被写体を撮影したりすることで構図の決定を行う。
【０００８】
しかしながら、撮影者は、これらの操作を液晶モニタに表示された撮像映像を見ながら行うため、構図の決定に戸惑う場合がある。例えば、被写体をズームアップして撮影している状態から、周囲の景色を同時に撮影するために徐々にズームアウトしながら構図を決定する場合、どれだけズームアウトすればより良い構図になるのか分からない。これは、撮影者が液晶モニタに表示されている映像を頼りに操作しているためであり、その周囲に何があるのかはズームアウトしてみなければ分からないからである。
【０００９】
従って、ズームアウトし過ぎた場合、再びズームアップするなどして構図の選択を繰り返す必要がある。この構図の選択操作は、撮影を始める前であれば大した問題ではないが、撮影中に行った場合には、繰り返し行われたズーム操作が映像として記録されてしまい、無駄なシーンとなってしまう。また、被写体をズームアップして撮影している途中、カメラの画角から被写体が外れて見失ってしまった場合など、慌ててパン、チルト操作を行う場合がある。この場合にも、激しいパン、チルト操作によって見るに耐えない映像が記録されてしまい、無駄なシーンとなってしまう。そこで、液晶モニタ上に記録領域外の映像も同時に表示することが可能な撮像装置が求められる。
【００１０】
上記特許文献１では、撮像素子から映像信号の読み出しを行う際、撮像領域の全領域から読み出す場合と、一部の領域から読み出す場合で異なるクロックを用いることによって、比較的高いフレームレートを保ちながらもシステムの消費電力を抑える方法が提案されている。しかし、ビデオカメラなどに適用する場合、記録レートはフルフレームレートであることが重要である。また、記録領域以外の映像を同時に表示するという点で本発明とは異なる。
【００１１】
上記特許文献２では、撮像素子から映像信号の読み出しを行う際、合焦度の検出を行い、合焦度の高い領域については画素密度を高くした読み出しを、それ以外の領域については画素密度を低くした読み出しを行うことにより、全体の画素読み出しにかかる時間を削減し、撮像レートを上げるための方法が提案されている。これについても、記録領域以外の映像を同時に表示するという点で本発明とは異なる。
【００１２】
本発明は以上の点を考慮してなされたもので、撮像者の使い勝手を向上させ得る撮像装置及びその表示方法を提案するものである。
【課題を解決するための手段】
【００１３】
かかる課題を解決するために本発明においては、撮像素子で撮像した撮像映像を記録媒体に記録し、再生する撮像装置であって、撮像素子の受光領域に対し、記録媒体に記録する記録領域である第１の領域及び記録領域以外の少なくとも１つ以上の領域である第２の領域を設定する領域設定部と、領域設定部により設定された第１の領域の第１の映像信号及び第２の領域の第２の映像信号を生成する映像信号生成部と、映像信号生成部により生成された第１の映像信号及び第２の映像信号を合成して、第１の映像信号及び第２の映像信号に基づく映像を表示部に表示する映像信号合成部とを備える。
【００１４】
また、本発明においては、撮像素子で撮像した撮像映像を記録媒体に記録し、再生する撮像装置の表示方法であって、撮像素子の受光領域に対し、記録媒体に記録する記録領域である第１の領域及び記録領域以外の少なくとも１つ以上の領域である第２の領域を設定する第１のステップと、第１のステップにおいて設定した第１の領域の第１の映像信号及び第２の領域の第２の映像信号を生成する第２のステップと、第２のステップにおいて生成した第１の映像信号及び第２の映像信号を合成して、第１の映像信号及び第２の映像信号に基づく映像を表示部に表示する第３のステップとを備える。
【００１５】
従って、撮影者に対して、記録する領域だけでなく、その周辺の領域の映像を提供することで、撮影者が容易に構図の設定をすることができる。
【発明の効果】
【００１６】
本発明によれば、撮像者の使い勝手を向上させ得る撮像装置及びその表示方法を実現できる。
【発明を実施するための最良の形態】
【００１７】
以下、図面を用いて本発明の一実施の形態を説明する。
【００１８】
（１）実施例１について
本実施例では、本発明をビデオカメラ等の撮像装置に適用した場合について示す。
【００１９】
一般的に、ビデオカメラ等の撮像装置に搭載されたモニタでは、当該撮像装置の有する撮像素子の有効画素領域に当たる映像の表示を行っている。従って、撮像素子が有効画素領域よりも広い受光領域を有する場合においても、有効画素領域外の映像はモニタに表示されない。これは、撮像素子から映像信号を読み出す際の読み出し速度は有限であるため、フレームレートを落とさずに撮像を行うためには、撮像素子の受光領域全域から読み出すことができない、つまり、有効画素領域だけからの読み出しとなるためである。そこで、本実施例では、撮像素子の受光領域を複数の領域に分割し、領域ごとに異なる方法を用いた映像信号の読み出しを行う方法について示す。
【００２０】
図１は、本発明の実施例１に係る撮像装置１を示すブロック図である。また、本実施例のフローチャートを図２に示す。
【００２１】
撮像装置１は、撮像素子１１、ＡＤ変換部１２、映像信号生成部１３、領域設定部１４、クロック生成部１５、映像信号合成部１６、メモリ１７、ＤＡ変換部１８、モニタ１９、記録再生処理部２０、および、記録媒体２１から構成されている。
【００２２】
この場合、撮像素子１１は、レンズを介して取得した被写体の映像を映像信号に変換する。ＡＤ変換部１２は、撮像素子１１から出力される映像信号をデジタル信号に変換する。映像信号生成部１３は、ＡＤ変換部１２から出力されるデジタル信号から映像信号を生成する。領域設定部１４は、撮像素子１１の受光領域に対して映像信号の読み出し領域を設定する。クロック生成部１５は、映像信号の読み出しや出力を行うクロックを生成する。映像信号合成部１６は、領域設定部１４で設定した各領域から読み出した映像信号を合成する。メモリ１７は、映像信号の合成に使用する一時メモリである。ＤＡ変換部１８は、映像信号合成部１６から出力される映像信号をアナログ信号に変換する。モニタ１９は、撮像映像および記録映像を表示する。記録再生処理部２０は、映像信号合成部１６から出力される映像信号の記録や、記録映像を再生する。記録媒体２１は、映像信号を記録するための記録媒体である。なお、記録媒体２１は、ビデオカメラに搭載していても、外部媒体であっても良い。
【００２３】
なお、本実施例においては、図１を機能ブロック図として示した場合について述べたが、本発明はこれに限らず、より具体的には、一連の処理を、それぞれの機能を有するハードウェアによって実行することにより、各処理を実施するようにしても良く、撮像装置１のプロセッサ等が制御プログラムを実行することにより各処理を実施するようにしても良い。
【００２４】
ここで、本発明を適用した場合の具体的な処理の流れを示す。
【００２５】
まず、ＡＤ変換部１２は、例えば、撮像装置１の電源が投入されると、図２に示すモニタ表示処理手順のフローチャートを開始し、撮像素子１１から出力される映像信号を、デジタル信号へと変換する（ステップＳＰ１）。
【００２６】
次に、映像信号生成部１３は、クロック生成部１５で生成したクロックを用い、領域設定部１４で設定した読み出し領域から映像信号の読み出しを行う。なお、領域設定部１４は、記録領域と記録領域以外の領域を設定する。ここでは、プリセットとして、図３（ａ）に示すように２つの領域Ａ、Ｂが予め設定され、領域Ａが記録領域、領域Ｂが記録領域以外の領域とされているとする。
【００２７】
このとき、映像信号生成部１３は、領域Ａからの読み出しにおいては、全ての映像信号を読み出す（ステップＳＰ２）。一方、映像信号生成部１３は、領域Ｂからの読み出しにおいては、一定の画素間引きを行いながら映像信号を読み出す（ステップＳＰ３）。
【００２８】
次に、映像信号合成部１６は、読み出した各領域の映像信号を、メモリ１７上で合成をする（ステップＳＰ４）。このとき、映像信号合成部１６は、画素間引きを行って読み出した映像信号については、隣接画素との補間処理を行った上で合成を行う。
【００２９】
次に、映像信号合成部１６は、合成した映像信号に対する各領域の境界に枠線を描画し（ステップＳＰ５）、この後、ＤＡ変換部１８においてアナログ信号に変換してモニタ１９に送信され、この結果、映像信号に基づく映像がモニタ１９に表示される（ステップＳＰ６）。
【００３０】
なお、記録再生処理部２０は、映像の記録を行う場合には、領域Ａから読み出した映像信号を記録媒体２１に記録する。また、記録再生処理部２０は、記録媒体２１に記録されている映像に対して、再生処理を行うことによって、ＤＡ変換部１８を経由して映像信号をモニタ１９へ送信し、この結果、映像信号に基づく映像がモニタ１９に表示される。
【００３１】
図３は、本発明の第１実施例に係る撮像装置１における領域設定の一例、および、モニタ表示方法の一例を示す図である。ここでは、一例として、図３（ａ）のように、領域Ａ、Ｂが設定された場合を示す。この場合、撮像装置１では、領域Ａを記録領域、領域Ｂを記録領域以外の領域とすることにより、モニタ１９において領域Ａおよび領域Ｂで撮像した映像の表示を行う。また、記録媒体２１へ記録を行う映像は、領域Ａで撮像した映像だけとする。
【００３２】
これによって、撮像装置１では、撮影者に対して、実際に記録を行う領域だけでなく、その周辺の領域の映像を提供することが可能になる。
【００３３】
図３（ｂ）は、映像信号合成部１６の出力映像をモニタ表示した一例を示した図である。枠線２２は、領域Ａと領域Ｂの境界を示す枠線、つまり、この場合においては記録領域を示す枠線である。この枠線２２は、映像信号合成部１６で生成し、映像上に重畳表示したものである。撮影者は、モニタ１９に表示される映像を見ながら、枠線２２の中に被写体を捉えて撮影を行う。枠線２２の外の映像は、記録されないが、撮影者が撮影したい構図を決定するために利用できる情報である。
【００３４】
例えば、図３（ｂ）の場合、枠線２２の中に捉えている被写体は１人だけであるが、枠外にもう１人いることがわかる。従って、撮影者は、この情報をもとに構図を切り換え、２人を撮影する構図にすることが可能になる。
【００３５】
なお、本実施例においては、記録領域を示す枠線２２について、単純な枠線を重畳表示する例を示したが、本発明はこれに限らず、枠線２２を点線で表示しても良いし、マーカ表示など、別の明示的な表示方法を行っても良い。また、本実施例においては、領域設定部１４によって２つの領域を設定する場合について示したが、本発明はこれに限らず、３つ以上の領域を設定し、それぞれ異なる画素密度で読み出しを行う構成にしても良い。
【００３６】
このように本実施例によれば、撮像装置１では、撮像素子１１からの映像信号の読み出しにおいて、映像の記録を行う領域については画素間引きを行わない高画質映像を、記録を行わない領域については画素間引きを行った低画質映像を取得することによって、映像信号の読み出し速度に制限がある場合でも、記録領域を含む受光領域全域から映像信号を読み出すことが可能になる。
【００３７】
これにより、撮像装置１では、撮影者に対して、実際に記録を行う領域だけでなく、その周辺の領域の映像を提供することが可能になる。これにより、撮像装置１では、構図の設定が容易に実現できるため、使い勝手が向上する。
【００３８】
（２）実施例２について
図４は、本発明の実施例２に係る撮像装置２を示すブロック図である。撮像装置２は、本発明の実施例１のブロック図である図１に対して、クロック選択部２３を追加した構成にしたものである。また、本実施例のフローチャートを図５に示す。
【００３９】
実施例１で述べたように、撮像装置では、一般的に撮像素子から映像信号を読み出す際の読み出し速度は有限であるため、フレームレートを落とさずに撮像を行うためには、撮像素子の受光領域全域から読み出すことができない。そこで、実施例１では、撮像素子からの映像信号の読み出しにおいて、画素間引きを行う方法について示した。本実施例では、画素間引きを行わず、複数のクロックを用いた読み出し方法について示す。
【００４０】
ここで、本発明を適用した場合の具体的な処理の流れを示す。
【００４１】
まず、ＡＤ変換部１２は、例えば、撮像装置１の電源が投入されると、図２に示すモニタ表示処理手順のフローチャートを開始し、撮像素子１１から出力される映像信号を、デジタル信号へと変換する（ステップＳＰ１１）。
【００４２】
次に、領域設定部１４は、記録領域と記録領域以外の領域を設定する。ここで、領域設定部１４は、実施例１と同様、プリセットとして、図３（ａ）に示すように２つの領域Ａ、Ｂを設定し、領域Ａを記録領域、領域Ｂを記録領域以外の領域としたとする。クロック選択部２３は、読み出しを行う領域ごとに、クロック生成部１５で生成したクロックから対応する読み出しクロックを選択し、クロック生成部１５は、領域設定部１４で設定した読み出し領域ごとの読み出しクロックを生成する。
【００４３】
従って、本実施例においては、クロック生成部１５は、領域Ａから映像信号を読み出すためのクロックを生成し（ステップＳＰ１２）、映像信号生成部１３は、これを用いて領域Ａから映像信号の読み出しを行う（ステップＳＰ１３）。
【００４４】
次に、クロック生成部１５は、領域Ｂから映像信号を読み出すためのクロックを生成し（ステップＳＰ１４）、映像信号生成部１３は、これを用いて領域Ｂから映像信号の読み出しを行う（ステップＳＰ１５）。
【００４５】
次に、映像信号合成部１６は、読み出した各領域の映像信号を、メモリ１７上で合成をする（ステップＳＰ１６）。
【００４６】
このとき、映像信号生成部１３は、領域Ａの読み出しでは高いクロックレート（フルフレームレート）に、領域Ｂの読み出しでは低いクロックレートに設定された映像信号の読み出しを行う。また、映像信号合成部１６は、領域Ｂについてはフレームレート補間処理を行った上で合成を行う。
【００４７】
次に、映像信号合成部１６は、合成した映像に対する各領域の境界に枠線を描画し（ステップＳＰ１７）、この後、ＤＡ変換部１８においてアナログ信号に変換してモニタ１９に送信され、この結果、映像信号に基づく映像がモニタ１９に表示される（ステップＳＰ１８）。
【００４８】
また、記録再生処理部２０は、映像の記録を行う場合には、領域Ａから読み出した映像信号を記録媒体２１に記録する。また、記録再生処理部２０は、記録媒体２１に記録されている映像に対して、再生処理を行うことによって、ＤＡ変換部１８を経由して映像信号をモニタ１９へ送信し、この結果、映像信号に基づく映像がモニタ１９に表示される。
【００４９】
結果として、映像信号合成部１６は、領域Ａがフルフレームレートで、領域Ｂが低フレームレートの映像を出力する。そこで、記録再生処理部２０は、領域Ａのみを記録媒体２１に記録する。領域Ｂについては、記録はしないが、モニタ１９に表示される。これによって、記録映像については、フルフレームレートを実現することができる。
【００５０】
なお、本実施例においては、領域設定部１４によって２つの領域を設定する場合について示したが、本発明はこれに限らず、３つ以上の領域を設定し、それぞれ異なるクロックで映像信号の読み出しを行う構成にしても良い。また、本実施例においては、撮像素子１１からの映像信号読み出しクロックについて、クロック生成部１５で複数のクロックを生成する構成を示したが、本発明はこれに限らず、複数のクロック生成部を設け、処理を分散させる構成にしても良い。同様に、本発明では、映像信号合成部１６の出力用クロックについても、クロック生成部１５とは別のクロック生成部で生成する構成にしても良い。
【００５１】
このように本実施例によれば、撮像装置２では、撮像素子１１からの映像信号の読み出しにおいて、映像の記録を行う領域については高いクロックレート（フルフレームレート）の高画質映像を、記録を行わない領域については低いクロックレートの低画質映像を取得することによって、映像信号の読み出し速度に制限がある場合でも、記録領域を含む受光領域全域から映像信号を読み出すことが可能になる。
【００５２】
これにより、撮像装置２では、撮影者に対して、実際に記録を行う領域だけでなく、その周辺の領域の映像を提供することが可能になる。これにより、撮像装置２では、構図の設定が容易に実現できるため、使い勝手が向上する。
【００５３】
（３）実施例３について
図６は、本発明の実施例３に係る撮像装置３を示すブロック図である。撮像装置３は、本発明の実施例１のブロック図である図１に対して、領域指示部２４を追加した構成にしたものである。また、本実施例のフローチャートを図７に示す。図８は、本発明の実施例３に係る撮像装置３における記録領域の設定の一例を示した図である。
【００５４】
実施例１においては、領域設定部１４で設定する領域を２つとし、撮像素子１１の受光領域の中央領域を領域Ａ、その周囲領域を領域Ｂとして設定した。そして、領域Ａを記録領域として、領域Ｂを情報領域として使用する例を示した。本実施例では、この記録領域Ａを任意の位置およびサイズに設定する方法について示す。
【００５５】
最初、図７に示すモニタ表示処理手順のフローチャートを開始することにより、映像信号合成部１６は、図３（ｂ）に示すように、記録領域をモニタ１９の中央位置に表示する（ステップＳＰ２１）。なお、記録領域は、モニタ１９の中央位置にプリセットされているとする。
【００５６】
撮影者は、記録領域の変更を行う場合、領域指示部２４を操作することにより、記録領域変更指示を出す。この記録領域変更指示は、撮像装置３に搭載したボタンで行っても、モニタ１９に表示されるメニュー操作から行なわれてもよい。領域指示部２４は、撮影者からの操作に基づいて、記録領域の位置およびサイズを自由に指示する。領域指示部２４での指示は、領域設定部１４によってビデオカメラの駆動に反映される。
【００５７】
例えば、領域指示部２４は、撮影者からの操作により記録領域の位置を変更する場合（ステップＳＰ２２）、領域設定部１４に記録領域変更指示を出し、領域設定部１４は、任意の位置へ記録領域を変更（記録領域を示す枠線を移動）する（ステップＳＰ２３）。
【００５８】
また、領域指示部２４は、撮影者からの操作により記録領域のサイズを変更する場合（ステップＳＰ２４）、領域設定部１４に記録領域変更指示を出し、領域設定部１４は、任意のサイズへ記録領域を変更（記録領域を示す枠線の大きさを変更）する（ステップＳＰ２５）。
【００５９】
領域指示部２４は、撮影者からの操作によりこれを繰り返し行うことで、撮影者の意図した領域を記録領域として設定することができる（ステップＳＰ２７）。
【００６０】
図８（ａ）は、撮像素子１１の右下の領域が記録領域として設定された場合におけるモニタ表示の一例である。なお、領域指示部２４の形態としては、ビデオカメラに搭載したボタンによる操作手段であっても、モニタ１９の表示を利用したタッチパネル式の操作手段であっても良い。また、撮像装置３では、当該撮像装置３本体に、数パターンの位置、サイズに関する設定情報をプリセットしておき、その中から選択して使用できるようにしても良い。さらに、領域指示部２４は、撮影者がマニュアルで指示するのではなく、撮像装置３のビデオカメラの動きを検出し、ビデオカメラの動きに応じて領域指示部２４が記録領域を自動設定する構成にしても良い。
【００６１】
例えば、ビデオカメラが大きく右側にパンされるような場合、撮影者は、記録領域の右側の領域、つまり、これから記録領域に入ってくると考えられる領域の情報を取得したい。従って、ビデオカメラが右側にパンされている間は、自動的に撮像素子１１の左端の領域を記録領域として設定するのが好ましい。これは、撮影中に被写体を見失ったり、別の被写体を探したりする場合などに効果的である。
【００６２】
このときのモニタ表示の一例を図８（ｂ）に示す。これによって、撮像装置３では、記録領域の右側について、広い領域の情報を得ることが可能になる。ビデオカメラの動きを検知する方法としては、撮像映像の動きベクトルを抽出し、その動きからパン、チルト動作を予測する方法や、ビデオカメラを載せる雲台に角速度センサを搭載する方法、ビデオカメラ本体にジャイロセンサを搭載する方法などが挙げられる。
【００６３】
なお、本実施例においては、記録領域の位置およびサイズを自由に設定する方法について示したが、本発明はこれに限らず、設定によっては、記録領域のサイズが撮像素子１１の有効画素領域よりも小さくなる場合がある。このような場合には、撮像装置３では、映像信号合成部１６において記録領域の周囲に黒マスクを入れたり、記録再生処理部２０においてアスペクト変換を行ったりすることでモニタ１９に表示すれば良い。
【００６４】
このように本実施例によれば、撮像装置３では、撮影者の意図に合わせ、撮像素子の任意の領域を記録領域として設定可能になる。また、撮像装置３では、撮像装置の動きに応じて自動的に記録領域を設定することも可能になる。これにより、撮像装置３では、撮影対象に合わせた記録領域の柔軟な設定が実現できるため、使い勝手が向上する。
【００６５】
（４）実施例４について
図９は、本発明の実施例４に係る撮像装置４を示すブロック図である。撮像装置４は、本発明の実施例１のブロック図である図１に対して、画像処理部２５を追加した構成にしたものである。また、本実施例のフローチャートを図１０に示す。図１１は、本発明の実施例４に係る撮像装置４における記録領域の表示の一例を示した図である。
【００６６】
図１１（ａ）は、３つの領域が設定された場合のモニタ表示の一例である。ここで、図１１（ａ）は、３つの領域が設定されているため、各領域間における境界線が複数存在し、その境界線に枠線２２が表示された結果である。この場合、撮影者は、どの枠線２２が記録領域を示しているのか混同するおそれがある。もちろん、実際の記録領域を示す枠線２２だけを表示することで分かり易い表示になるが、実施例２で示したように、領域ごとに異なるレートで映像表示をする場合には、領域の境界がちらついて見えるおそれもある。
【００６７】
本実施例では、特定の画像処理を施した表示をすることによって、見やすい映像の表示を行う方法について示す。
【００６８】
最初、図１０に示すモニタ表示処理手順のフローチャートを開始することにより、映像信号合成部１６は、図３（ｂ）に示すように、記録領域をモニタ１９の中央位置に表示する（ステップＳＰ３１）。なお、記録領域は、モニタ１９の中央位置にプリセットされているとする。
【００６９】
領域指示部２４は、撮影者からの操作により領域設定の変更指示を行った場合（ステップＳＰ３２）、図７に示したフローチャートにより、任意の位置およびサイズの領域を設定する（ステップＳＰ３３）。
【００７０】
また、撮影者からの操作によりこれを繰り返すことで、複数の領域を設定することができる。これにより、３つの領域を設定した場合のモニタ表示の一例が図１１（ａ）である。
【００７１】
撮影者にとって、記録領域の映像は、高レートかつ高精細であることが好ましい。逆に、記録領域以外の領域については、あくまで情報として利用するため、あまり目立たなくても良い領域である。
【００７２】
そこで、領域指示部２４は、任意の位置およびサイズの領域の設定が終了した後（ステップＳＰ３３）、撮影者からの操作により記憶領域の表示方法変更指示を行った場合（ステップＳＰ３２）、画像処理部２５は、表示方法変更指示に基づいて、図１１（ｂ）に示すように、記録領域以外の画像処理適用領域２６に対し、特定の画像処理を施す（ステップＳＰ３５）。
【００７３】
画像処理部２５での画像処理の方法としては、輝度レベルを下げる方法が挙げられる。この場合、撮像装置４では、記録領域だけを鮮明に表示し、記録領域以外は暗めに表示することができるため、見やすいモニタ１９への表示を実現できる。また、画像処理部２５での別の画像処理の方法として、画像処理適用領域２６に対し、画素間引きを行って解像度を下げる方法が挙げられる。
【００７４】
この場合にも、撮像装置４では、記録領域だけを鮮明に表示し、各領域の境界線も目立たなくすることができるため、見やすいモニタ表示を実現できる。撮像装置４では、このような画像処理を施した上で、記録領域を分かりやすくモニタ１９に表示する（ステップＳＰ３６）。
【００７５】
なお、本実施例においては、領域設定部１４によって３つの領域を設定する場合について示したが、本発明はこれに限らず、２つ以上の領域を設定した場合全てに適用可能である。また、本実施例においては、画像処理の例として、輝度レベルを下げる処理、および、解像度を下げる処理について示したが、本発明はこれに限らず、その他の画像処理を施し、記録領域を明示的に表示しても良く、また、領域ごとに異なる画像処理を施しても良い。なお、実施例１〜３においては、記録領域を示す枠線２２の重畳表示や、記録領域が小さい場合の黒マスク生成について示したが、本発明はこれに限らず、これらの処理を画像処理部２５において実現する構成にしても良い。
【００７６】
このように本実施例によれば、撮像装置４では、特定の画像処理を施すことによって、記録領域とそれ以外の領域を明示的に切り分けて表示することが可能になる。これにより、撮像装置４では、撮影者が被写体を記録領域に捉えやすくなるため、使い勝手が向上する。
【００７７】
（５）実施例５について
図１２および図１４は、本発明の実施例５に係る撮像装置５における記録領域の表示の一例を示した図である。撮像装置５は、例えば、本発明の実施例３のブロック図である図７と同様に構成にしたものである。また、本実施例のフローチャートを図１３に示す。
【００７８】
図１２（ａ）は、モニタの右下の領域が記録領域に設定され、撮影を行っている場合のモニタ１９の表示を示している。撮影者は、モニタの右下に映っている被写体に注目して撮影を行っているとする。ここで、撮影者は、電子ズームを行うことを考える。
【００７９】
通常のビデオカメラでは、電子ズームを行った場合に図１２（ｂ）のような映像が得られる。これは、モニタ１９の中央を中心としたズーム処理が行われるためである。従って、通常のビデオカメラでは、撮影者の意図する被写体に注目したズーム処理にはなっていない。そこで、電子ズームを使用した撮影においては、記録領域を中心としたズーム処理を行う必要がある。本実施例では、電子ズームを使用した撮影における記録領域の表示方法について示す。
【００８０】
最初、図１３に示すモニタ表示処理手順のフローチャートを開始することにより、映像信号合成部１６は、図１２（ａ）に示すように、記録領域をモニタ１９の右下の位置に表示する（ステップＳＰ４１）。なお、記録領域は、モニタ１９の右下の位置に設定されている状態であるとする。
【００８１】
映像信号生成部１３は、この状態で撮影者がズーム操作を行った場合（ステップＳＰ４２）、記録領域として設定されている領域の中央を中心としたズーム処理を行う（ステップＳＰ４３）。
【００８２】
このときの映像表示の一例が図１４（ａ）である。映像信号生成部１３は、記録領域を中心としたズーム処理をすることで、意図した被写体を記録領域に捉えたズーム処理を行う。また、映像信号生成部１３は、電子ズームに伴い、記録領域の位置やサイズを自動制御する。例えば、図１２（ａ）のように、広角で撮影を行っている場合、モニタ１９には広角の映像を表示しているが、実際に記録しているのは、記録領域として設定した右下の領域だけである。
【００８３】
そこで、映像信号生成部１３は、撮影者が電子ズームを行う場合、記録領域を中心としたズーム処理を行うと同時に、記録領域がモニタ１９の中央に来るように自動的に制御、表示を行う。つまり、このとき、領域設定部１４は、電子ズーム倍率に合わせて、記録領域のサイズを変化させる（ステップＳＰ４４）。
【００８４】
このときの映像表示の一例が図１４（ｂ）である。映像信号生成部１３及び領域設定部１４は、このようなズーム制御を行い、この結果、指定されたズーム倍率で記録領域がモニタ１９に表示される（ステップＳＰ４５）。
【００８５】
このように本実施例によれば、撮像装置５では、電子ズームを使用した撮影において、撮影者の意図した被写体を考慮した電子ズームによる記録が可能になる。これにより、撮像装置５では、撮影者が直感的な操作を行うことができるため、使い勝手が向上する。
【００８６】
このようにして、本発明の撮像装置では、ビデオカメラの撮像素子１１の受光領域に対し、記録を行う領域を含む複数の領域を設定する。そして、撮像装置では、受光領域の中央領域を記録領域とした場合、この記録領域から得られる映像信号だけを記録する。ただし、ビデオカメラのモニタ表示では、記録領域を表示すると同時に、それ以外の領域についても表示を行う。これにより、撮像装置では、記録する領域だけでなく、その周辺領域の映像の提供が可能になるため、撮影における構図の設定も容易となり、使い勝手が向上する。
【００８７】
なお、本発明は、上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【産業上の利用可能性】
【００８８】
本発明は、デジタルスチルカメラやデジタルビデオカメラなど、撮像映像をモニタで見ることが可能なカメラへの利用が可能である。
【図面の簡単な説明】
【００８９】
【図１】本発明の実施例１に係る撮像装置を示すブロック図である。
【図２】本発明の実施例１のフローチャートを示す図である。
【図３】本発明の実施例１に係る撮像装置における領域設定の一例、および、モニタ表示方法の一例を示す図である。
【図４】本発明の実施例２に係る撮像装置を示すブロック図である。
【図５】本発明の実施例２のフローチャートを示す図である。
【図６】本発明の実施例３に係る撮像装置を示すブロック図である。
【図７】本発明の実施例３のフローチャートを示す図である。
【図８】本発明の実施例３に係る撮像装置における記録領域の設定の一例を示した図である。
【図９】本発明の実施例４に係る撮像装置を示すブロック図である。
【図１０】本発明の実施例４のフローチャートを示す図である。
【図１１】本発明の実施例４に係る撮像装置における記録領域の表示の一例を示した図である。
【図１２】本発明の実施例５に係る撮像装置における記録領域の表示の一例を示した図である。
【図１３】本発明の実施例５のフローチャートを示す図である。
【図１４】本発明の実施例５に係る撮像装置における記録領域の表示の一例を示した図である。
【符号の説明】
【００９０】
１〜５……撮像装置、１１……撮像素子、１２……ＡＤ変換部、１３……映像信号生成部、１４……領域設定部、１５……クロック生成部、１６……映像信号合成部、１７……メモリ、１８……ＤＡ変換部、１９……モニタ、２０……記録再生処理部、２１……記録媒体、２２……枠線、２３……クロック選択部、２４……領域指示部、２５……画像処理部、２６……画像処理適用領域
【図１】
2009164767.tif 000003
【図２】
2009164767.tif 000004
【図３】
2009164767.tif 000005
【図４】
2009164767.tif 000006
【図５】
2009164767.tif 000007
【図６】
2009164767.tif 000008
【図７】
2009164767.tif 000009
【図８】
2009164767.tif 000010
【図９】
2009164767.tif 000011
【図１０】
2009164767.tif 000012
【図１１】
2009164767.tif 000013
【図１２】
2009164767.tif 000014
【図１３】
2009164767.tif 000015
【図１４】
2009164767.tif 000016